(57)【要約】【課題】セパレータを、内部に電極を収納した状態で強固に固定しつつ、熱収縮に対する耐性の向上を図ることができる電極収納セパレータ及び蓄電装置を提供する。【解決手段】電極収納袋状セパレータ１０は、互いに対向する一対のセパレータシート２９を備え、一対のセパレータシート２９に正極シート１３が挟み込まれている。ここで、各セパレータシート２９において正極シート１３と対向する側の面である対向面２９ｃは、上辺２９ａ及び下辺２９ｂに沿って配置され、対向するセパレータシート２９と溶着された溶着部３３を備えている。当該溶着部３３においては、セラミックスがコートされていない。一方、対向面２９ｃの溶着部３３以外、及び、対向面２９ｃとは反対側の非対向面２９ｄの全体には、セラミックスがコートされている。【選択図】図５
2015026522.tif 000002
【特許請求の範囲】
【請求項１】
互いに対向するセパレータを備え、前記セパレータに電極を挟み込む電極収納セパレータにおいて、
前記セパレータにおいて前記電極と対向する側の面である対向面は、セラミックスがコートされておらず、且つ、前記電極の周縁に対応する少なくとも一部に配置され、対向する前記セパレータと溶着された溶着部を備え、
前記対向面における前記溶着部以外は、前記セラミックスがコートされたコート部であり、前記セパレータにおいて前記対向面とは反対側にある非対向面の全体は、前記セラミックスがコートされたコート部であることを特徴とする電極収納セパレータ。
【請求項２】
前記セパレータは、四角状であり、前記溶着部は、前記セパレータにおいて該セパレータの対辺の少なくとも一部に沿って有る請求項１に記載の電極収納セパレータ。
【請求項３】
前記溶着部は、前記セパレータの一辺において全域に有る請求項２に記載の電極収納セパレータ。
【請求項４】
前記溶着部は、前記セパレータの４辺それぞれに沿って有る請求項２又は請求項３に記載の電極収納セパレータ。
【請求項５】
前記電極は、その縁部から突出したタブを有し、
前記セパレータは四角状であり、前記溶着部は、前記対向面における前記タブ側の一辺に有る請求項１〜４のうちいずれか一項に記載の電極収納セパレータ。
【請求項６】
前記電極は、正極である請求項１〜５のうちいずれか一項に記載の電極収納セパレータ。
【請求項７】
請求項１〜６のうちいずれか一項に記載の電極収納セパレータと、前記電極収納セパレータの前記電極とは極性が異なる電極とが交互に積層された電極組立体と、
電解液と、
を備えている蓄電装置。
【請求項８】
前記蓄電装置は二次電池である請求項７に記載の蓄電装置。
【発明の詳細な説明】
【技術分野】
【０００１】
本発明は、内部に電極が収納された電極収納セパレータ及び蓄電装置に関する。
【背景技術】
【０００２】
従来から周知のように、再充電可能な二次電池は、繰り返し使用することが可能であるので、種々の機器や装置に広く使用されている。車両の分野においては、化石燃料の使用削減（二酸化炭素排出規制）が求められていることから、この種の二次電池をモータの電源として走行する車両、いわゆるハイブリッド車やＥＶ車（Ｅｌｅｃｔｒｉｃ  Ｖｅｈｉｃｌｅ車）などに広く普及してきている。このような二次電池では、大電流での充電及び放電や、電池容量の大容量化が要求され、例えばリチウムイオン二次電池が製品として量産されている。
【０００３】
この種の二次電池としては、例えば正極シートと、負極シートと、これらを絶縁するセパレータとを、交互に積み重ねて電極組立体を形成する積層構造の二次電池が周知である。しかし、積層構造は、正極シート、負極シート、セパレータを、順に積み重ねていく製造工程を経るので、積み重ね工程の数が多くなる。よって、生産のタクトタイムが長く、生産性がよくないという課題があった。そこで、例えば正極シートを袋状セパレータの内部に予め収納しておくことにより、前述の積み重ね工程数を減らして、電池の生産性をよくする技術が考案されている（特許文献１等参照）。また、特許文献２には、樹脂層の表裏両面に、セラミックスの塗工部及びセラミックスを塗工しない未塗工部を設け、未塗工部でセパレータを溶着することが記載されている。この場合、樹脂層の表裏両面において、塗工部及び未塗工部の位置は同じであり、例えば樹脂層の裏面にある未塗工部は、樹脂層の表面にある未塗工部に対して反対側の位置に配置されている。
【先行技術文献】
【特許文献】
【０００４】
【特許文献１】特開２００３−９２１００号公報
【特許文献２】特開２０１１−１５９４３４号公報
【発明の概要】
【発明が解決しようとする課題】
【０００５】
ここで、樹脂層の表裏両面において未塗工部が同一位置にある場合、当該未塗工部においては、熱収縮に対する耐性が低い。このため、熱収縮に起因して溶着不良などといった不都合が生じ得る。
【０００６】
また、特許文献２のセパレータは、捲回体の電極組立体に用いられる帯状のものを想定している。これに対して、特許文献１のように袋状セパレータにおいては、溶着態様に特有の事情がある。すなわち、袋状セパレータにおいては、袋状セパレータを構成するセパレータ同士は溶着する必要がある一方、それ以外、例えば袋状セパレータと負極シートとを溶着する等といった必要がない。
【０００７】
本発明の目的は、セパレータを、内部に電極を収納した状態で強固に固定しつつ、熱収縮に対する耐性の向上を図ることができる電極収納セパレータ及び蓄電装置を提供することにある。
【課題を解決するための手段】
【０００８】
前記問題点を解決する電極収納セパレータは、互いに対向するセパレータを備え、前記セパレータに電極を挟み込むものであって、前記セパレータにおいて前記電極と対向する側の面である対向面は、セラミックスがコートされておらず、且つ、前記電極の周縁に対応する少なくとも一部に配置され、対向する前記セパレータと溶着された溶着部を備え、前記対向面における前記溶着部以外は、前記セラミックスがコートされたコート部であり、前記セパレータにおいて前記対向面とは反対側にある非対向面の全体は、前記セラミックスがコートされたコート部であることを特徴とする。
【０００９】
この構成によれば、対向面の一部に、セラミックスがコートされておらず、且つ、対向するセパレータと溶着された溶着部が有るため、電極を挟み込んだ状態でセパレータ同士を固定することができる。また、対向面における溶着部以外、及び、対向面とは反対側の非対向面の全体は、セラミックスがコートされたコート部となっている。これにより、熱収縮に対する耐性の向上を図ることができる。特に、非対向面における溶着部とは反対側の箇所にもセラミックスがコートされているため、溶着部における熱収縮に対する耐性が高められている。なお、念のため説明すると、「対向面」とは、セパレータの電極と対向している箇所のみを指すのではなく、電極と対向している箇所を含む面全体を示す。
【００１０】
上記電極収納セパレータについて、前記セパレータは、四角状であり、前記溶着部は、前記セパレータにおいて該セパレータの対辺の少なくとも一部に沿って有るとよい。この構成によれば、セラミックスでコートされたセパレータ同士を、必要最低限の箇所において固定することが可能となる。
【００１１】
上記電極収納セパレータについて、前記溶着部は、前記セパレータの一辺において全域に有るとよい。この構成によれば、溶着面積を極力広く確保できるので、セパレータ同士を、より強固に取り付け固定することが可能となる。
【００１２】
上記電極収納セパレータについて、前記溶着部は、前記セパレータの４辺それぞれに沿って有るとよい。この構成によれば、溶着部がセパレータの４辺それぞれに有るため、電極がセパレータから脱離しにくい。よって、電極が露出してしまうことを好適に抑制できる。
【００１３】
上記電極収納セパレータについて、前記電極は、その縁部から突出したタブを有し、前記セパレータは四角状であり、前記溶着部は、前記対向面における前記タブ側の一辺に有るとよい。この構成によれば、溶着部とタブとの当接によって、タブ側の一辺に沿う方向における電極の過度な移動が抑制される。これにより、タブ側の一辺に沿う方向への電極の位置ズレを抑制できる。
【００１４】
上記電極収納セパレータについて、前記電極は、正極であるよい。この構成によれば、例えば電極収納セパレータの外寸と負極の外寸とを合わせるという寸法をとることが可能となるので、電極組立体の組み立て時において、電極収納セパレータ及び負極を交互に積み重ねていく際の位置合わせなどが容易となる。
【００１５】
蓄電装置は、上述した前記電極収納セパレータと、前記電極収納セパレータの前記電極とは極性が異なる電極とが交互に積層された電極組立体と、電解液と、を備えているとよい。この構成によれば、電極組立体に電極収納セパレータを用いることにより、蓄電装置の生産性の向上を図ることができる。また、対向面における溶着部以外、及び、非対向面の全体に存在するコート部は多孔質膜である。このため、コート部に電解液が保持される。これにより、電池特性の向上を図ることができる。
【００１６】
前記蓄電装置は二次電池であるとよい。
【発明の効果】
【００１７】
本発明によれば、セパレータを、内部に電極を収納した状態で強固に固定しつつ、熱収縮に対する耐性の向上を図ることができる。
【図面の簡単な説明】
【００１８】
【図１】一実施形態の二次電池の構成を示す分解斜視図。
【図２】二次電池の外観を示す斜視図。
【図３】電極組立体の構成を示す分解斜視図。
【図４】集電部においてリードが溶接された箇所を示す断面図。
【図５】電極収納袋状セパレータの断面図。
【図６】セパレータシートの斜視図。
【図７】電極収納袋状セパレータの平面図。
【図８】セパレータシート基材に正極シートをセットした状態を示す説明図。
【図９】正極シートがセットされたセパレータシート基材が溶着された状態を示す説明図。
【図１０】溶着後のセパレータシート基材を切断する状態を示す説明図。
【図１１】別例の電極収納袋状セパレータの製造例を示す説明図。
【図１２】別例の電極収納袋状セパレータの平面図。
【発明を実施するための形態】
【００１９】
以下、電極収納セパレータ及び蓄電装置の一実施形態を図１〜図１０に従って説明する。なお、蓄電装置としての二次電池は、例えばハイブリッド車（プラグインハイブリッド車）やＥＶ車等の車両に搭載されており、車両の駆動源として使用されるモータ（図示略）の電源として用いられる。
【００２０】
図１及び図２に示すように、二次電池１は、例えば金属製のケース２を備え、ケース本体３の内部には、電解液４と発電要素である電極組立体５とが収納されている。ケース本体３の上部の開口部３ａは、金属製の板状のケース蓋６によって密封状態に封止される。
【００２１】
図２に示すように、二次電池１の上面には、正極用の電極端子である正極端子７と、負極用の電極端子である負極端子８とが設けられている。正極端子７及び負極端子８は、ケース蓋６の開口孔６ａ（図１参照）からケース２の外部に露出されている。正極端子７及び負極端子８とケース２との間には、正極端子７及び負極端子８をケース２から絶縁するリング状の絶縁部材９が各々取り付けられている。
【００２２】
図３に示すように、電極組立体５は、袋内部に電極（正極）を収納した袋状セパレータ（以降、電極収納袋状セパレータ１０）と、負極電極となる薄い負極シート１１とからなる層を複数層有する。電極収納袋状セパレータ１０は、袋状のセパレータ本体１２の内部に、正極電極となる薄い正極シート１３を収納した部材である。電極組立体５は、電極収納袋状セパレータ１０及び負極シート１１が、電極組立体５の厚み方向（積層方向：図１等のＹ軸方向）に沿って、一定方向に交互に積層された積層構造である。
【００２３】
正極シート１３には、金属製のシート状の箔１４が設けられ、箔１４の両面に正極活物質層１５が塗布されることにより、この部分が塗工部１６として存在する。正極シート１３の周縁の一部分には、箔１４の一部がタブとして突出され、この部分が正極活物質層１５を塗布していない未塗工部１７として存在する。即ち、本例においては、正極シート１３はその縁部から突出したタブを有し、該タブが未塗工部１７に相当している。負極シート１１も、金属製のシート状の箔１８が設けられ、箔１８の両面に負極活物質層１９が塗布され、正極シート１３と同様に、塗工部２０及び未塗工部２１が存在する。
【００２４】
図１及び図４に示すように、正極シート１３及び負極シート１１の各々には、同極の未塗工部１７，２１同士を積層方向Ｙにおいて束ねた各集電部２２，２３において、リード２４，２５が各々溶接されている。各リード２４，２５は、各々の集電部２２，２３の根元付近を溶接部２６，２７として各集電部２２，２３に固定される。また、正極端子７が正極リード２４に接続され、負極端子８が負極リード２５に接続される。集電部２２，２３は、電極組立体５の本体部である電極対２８の上面から上方に飛び出し、電極対２８の幅方向（図１のＸ軸方向）においてそれぞれ離れる側の端寄りの位置に配置されている。
【００２５】
図３〜図５に示すように、電極収納袋状セパレータ１０は、一対のセパレータである四角形状の２枚のセパレータシート２９を互いに対向するように重ね合わせ、セパレータシート２９の一端（紙面の上辺２９ａ）と他端（紙面の下辺２９ｂ）とを溶着することにより、袋状となっている。これにより、電極収納袋状セパレータ１０の内部には、隙間からなる収納部３０が設けられ、この収納部３０に正極シート１３が収納される。セパレータシート２９は、正極シート１３と負極シート１１とを絶縁するシート部材である。なお、収納部３０が袋内部に相当する。また、本例においては、上辺２９ａが「タブ側の一辺」に対応し、下辺２９ｂが「タブ側の一辺に対向する他辺」に対応する。
【００２６】
図５及び図６に示すように、各セパレータシート２９において正極シート１３と対向する側の面である対向面２９ｃには、セラミックスがコートされたコート部３１が存在する。コート部３１は、対向面２９ｃにおいて、対辺である上辺２９ａ及び下辺２９ｂを除く略全域において存在している。また、各セパレータシート２９において対向面２９ｃとは反対側に有る非対向面２９ｄの全体はコート部３１である。コート部３１は、セパレータシート２９のシート基材２９ｓに積層されており、シート基材２９ｓと比較して、剛性が高い多孔質膜である。
【００２７】
電極の周縁に対応する各セパレータシート２９の対向面２９ｃの上辺２９ａ及び下辺２９ｂは、セラミックスがコートされていない未コート部３２である。本例の場合、対向面２９ｃの上辺２９ａに有る未コート部３２を上端側未コート部３２ａとし、対向面２９ｃの下辺２９ｂに有る未コート部３２を下端側未コート部３２ｂとする。上端側未コート部３２ａ及び下端側未コート部３２ｂは、電極収納袋状セパレータ１０の幅方向（図６のＸ軸方向）において全域に有る。一対のセパレータシート２９は、セラミックスコートとなってはいるものの、これら未コート部３２ａ，３２ｂにおいて溶着が可能となっている。
【００２８】
図５〜図７に示すように、一対のセパレータシート２９は、対向面２９ｃにおける未コート部３２ａ，３２ｂの長さ方向（図７のＸ軸方向）全域が溶着されることにより、この部分が溶着部３３となって袋状に取り付け固定されている。溶着方式（溶着部３３）は、断続溶着又は連続溶着のどちらでもよい。本例の場合、上端側未コート部３２ａに有る溶着部３３を上側溶着部３３ａとし、下端側未コート部３２ｂに有る溶着部３３を下側溶着部３３ｂとする。
【００２９】
ちなみに、本明細書においては、溶着部３３が断続溶着である場合、溶着部分間の領域も溶着部３３に含まれるものとする。このため、溶着部３３が断続溶着である場合、対向面２９ｃにおける溶着部３３以外とは、断続的にある溶着部分間の領域は除外される。
【００３０】
正極シート１３は、上側溶着部３３ａ及び下側溶着部３３ｂによって上下から挟まれることにより、収納部３０内において紙面上下方向（図７のＺ軸方向）に位置決めされている。また、正極シート１３の未塗工部１７は、根元部分において上側溶着部３３ａの一部である一対の溶着部（電極位置決め溶着部）３３ｃが近傍配置されることにより、収納部３０内において紙面左右方向（図７のＸ軸方向：タブの面方向）に位置決めされている。
【００３１】
なお、本例では、対向面２９ｃにおける未塗工部１７と対向する領域である電極位置決め溶着部３３ｃ間の領域は、溶着部３３に含まれているものとする。
本実施形態の作用について説明する。
【００３２】
対向面２９ｃの溶着部３３は、セラミックスがコートされていない未コート部３２である。一方、対向面２９ｃの溶着部３３以外、及び、非対向面２９ｄの全体は、セラミックスがコートされているコート部３１である。このため、非対向面２９ｄにおいて溶着部３３の反対側の箇所にもコート部３１が存在する（図４等参照）。
【００３３】
次に、本例の電極収納袋状セパレータ１０の製造工程について、図８〜図１０を用いて説明する。
図８に示すように、電極収納袋状セパレータ製造工程において、一方の面の上辺及び下辺には、セラミックスがコートされていない未コート部３２ａ，３２ｂがあり、当該一方の面の未コート部３２ａ，３２ｂ以外及び他方の面の全体にはセラミックスがコートされている帯状の長いセパレータシート基材３４を一対用意する。
【００３４】
ちなみに、セパレータシート基材３４は、所定のマガジンに複数枚積層されている。そして、電極収納袋状セパレータ製造工程では、アーム等を用いて、セパレータシート基材３４を１枚ずつマガジンから取り出して、所定のワークスペースに配置する。
【００３５】
そして、未コート部３２ａ，３２ｂが存在する一方の面が互いに対向するよう一対のセパレータシート基材３４を配置する。そして、一対のセパレータシート基材３４の間に複数の正極シート１３…を並べて配置し、これら正極シート１３…を一対のセパレータシート基材３４で挟み込んでセットする。
【００３６】
続いて、図９に示すように、重ね合わせた一対のセパレータシート基材３４を、上端側未コート部３２ａ及び下端側未コート部３２ｂにおいて溶着することにより、正極シート１３を２枚のセパレータシート基材３４で包み込んで一体化（ユニット化）する。即ち、一対の帯状のセパレータシート基材３４と複数の正極シート１３…とを、帯状セパレータユニット３５として組み立てる。これにより、セパレータシート基材３４が袋状に形成されるとともに、内部の収納部３０に正極シート１３が収納される。なお、溶着時、正極シート１３の左右両側を電極位置決め溶着部３３ｃで挟み込んでおくことにより、正極シート１３の紙面左右方向（図９のＸ軸方向）の位置決めがなされる。
【００３７】
そして、図１０に示すように、１つの帯状セパレータユニット３５を、隣り合う正極シート１３の間で切断することにより、１つ１つの電極収納袋状セパレータ１０として形成する。なお、切断方式は、例えば打ち抜きやカットなど、種々の方式が採用可能である。これにより、１つの帯状セパレータユニット３５から、複数の電極収納袋状セパレータ１０が形成される。
【００３８】
続いて、電極収納袋状セパレータ１０を用いた二次電池１の製造方法について説明すると、まず、電極収納袋状セパレータ１０と負極シート１１とを交互に重ねていく。そして、必要枚数重ねた後、同極の未塗工部１７，２１同士を束ねて、リード２４，２５を溶接し、電極組立体５を組み立てる。電極組立体５の組み立て後、この電極組立体５及び電解液４をケース本体３に収納し、ケース本体３の開口部３ａをケース蓋６で閉じることにより、二次電池１が組み立てられる。
【００３９】
本実施形態の構成によれば、以下に記載の効果を得ることができる。
（１）電極収納袋状セパレータ１０のセパレータシート２９において正極シート１３と対向する側の面である対向面２９ｃは、セパレータシート２９の上辺２９ａ及び下辺２９ｂに沿って配置され、対向するセパレータシート２９と溶着された溶着部３３を備えている。当該溶着部３３においてはセラミックスがコートされておらず、シート基材２９ｓが露出しているため、溶着強度が向上している。
【００４０】
また、対向面２９ｃの溶着部３３以外及び非対向面２９ｄの全体は、セラミックスがコートされたコート部３１となっている。これにより、熱収縮に対する耐性の向上を最大限図ることができる。特に、非対向面２９ｄにおいて溶着部３３とは反対側の箇所にもコート部３１が存在するため、溶着部３３における熱収縮に対する耐性が高められている。
【００４１】
また、コート部３１の剛性は、シート基材２９ｓと比較して高い。このため、非対向面２９ｄにおける未コート部３２とは反対側の部分がコート部３１となっていることにより、セパレータシート２９の上辺２９ａ及び下辺２９ｂが湾曲しにくい。よって、一対のセパレータシート基材３４を重ね合わせる際に、両者の位置合わせを容易に行うことができるとともに位置ズレを抑制できる。
【００４２】
さらに、上記のようにセパレータシート２９の上辺２９ａ及び下辺２９ｂが湾曲しにくくなっている関係上、電極収納袋状セパレータ１０の上辺及び下辺も湾曲しにくい。これにより、電極組立体５の組み立て時において、電極収納袋状セパレータ１０と負極シート１１とを積層する場合に、両者の位置合わせを容易に行うことができるとともに位置ズレを抑制できる。
【００４３】
また、コート部３１は多孔質膜であるため、電解液４がコート部３１に保持される。これにより、電池特性の向上を図ることができる。
特に、対向面２９ｃ及び非対向面２９ｄの双方にコート部３１が有るため、一方のみにコート部３１が有る構成と比較して、熱収縮に対する耐性の更なる向上を図ることができるとともに、正極側及び負極側の双方に対して保液効果の向上を図ることができる。
【００４４】
また、対向面２９ｃ及び非対向面２９ｄの双方にコート部３１が有るため、セパレータシート基材３４がマガジンに複数枚積層されている状態において、コート部３１同士が接触することとなる。この場合、両者は同じ材質のセラミックスであるため、分極しにくく、摩擦帯電が生じにくい。これにより、電極収納袋状セパレータ製造工程において、セパレータシート基材３４をマガジンから取り出す際に、同時に２枚取り出されるといった不都合が生じにくい。よって、生産性の更なる向上を図ることができる。
【００４５】
（２）正極シート１３を２枚のセパレータシート２９で予め包み込むことにより、これらを電極収納袋状セパレータ１０という一部品としておき、電極収納袋状セパレータ１０と負極シート１１とを交互に積み重ねていくことにより、電極組立体５を組み立てる。このため、電極組立体５の組み立て時、積層工程で課されるシートの積層枚数が少なく抑えられるので、生産のタクトタイムが短くなる。よって、電極組立体５ひいては二次電池１の生産性を向上することができる。
【００４６】
（３）電極収納袋状セパレータ１０の内部には、正負電極のうち正極（正極シート１３）を収納する。ところで、この種の電極組立体５においては、電極間のイオンのやり取りの関係上、負極を正極よりも大きくする必要がある。このため、本例のように、電極収納袋状セパレータ１０の内部に正極を収納するようにすれば、結果として、電極収納袋状セパレータ１０の外寸と負極シート１１の外寸とを同じにするという寸法をとることができる。よって、電極組立体５の組み立て時において、電極収納袋状セパレータ１０及び負極シート１１を交互に積み重ねていく際の位置合わせが容易になる。また、電極組立体５の内部において、積み重ねた電極収納袋状セパレータ１０や負極シート１１が位置ズレし難くもなる。
【００４７】
（４）溶着部３３ａ，３３ｂは、セラミックスコートされたセパレータシート２９において上辺２９ａ及び下辺２９ｂに沿って有る。これにより、セパレータシート２９を必要最低限の箇所にて固定することができる。また、各溶着部３３ａ，３３ｂによって、上辺２９ａ及び下辺２９ｂの対向方向における正極シート１３の位置ズレが規制される。これにより、一対のセパレータシート２９から正極シート１３が脱離することを抑制できる。
【００４８】
さらに、上辺２９ａ及び下辺２９ｂに沿って未コート部３２が有るため、一対のセパレータシート２９の間に正極シート１３をセットした後、一対のセパレータシート２９を未コート部３２ａ，３２ｂで袋状に溶着し、これを隣り合う正極シート１３との間で切断するという簡素な工程によって、電極収納袋状セパレータ１０を製造することができる。
【００４９】
（５）溶着部３３ａ，３３ｂは、セパレータシート２９の上辺２９ａ及び下辺２９ｂの全域に亘って有る。このため、セパレータシート２９の溶着面積を広く確保できるので、一対のセパレータシート２９を、より強固に取り付け固定することができる。
【００５０】
（６）上側溶着部３３ａは、セパレータシート２９の対向面２９ｃにおけるタブ側の一辺である上辺２９ａに有る。詳細には、正極シート１３の未塗工部１７の両側には、上側溶着部３３ａの一部の電極位置決め溶着部３３ｃが有る。このため、正極シート１３の未塗工部１７が電極位置決め溶着部３３ｃによって紙面左右方向、すなわち上辺２９ａに沿う方向において位置決めされるので、正極シート１３を収納部３０内において紙面左右方向に位置ズレし難くすることができる。
【００５１】
特に、既に説明した通り、上辺２９ａに対向する下辺２９ｂに有る下側溶着部３３ｂによって、上辺２９ａ及び下辺２９ｂの対向方向における正極シート１３の位置ズレが規制されている。よって、セパレータシート２９の左辺や右辺に溶着部を設けることなく、セパレータシート２９に対する正極シート１３の位置ズレを好適に抑制できる。
【００５２】
なお、実施形態はこれまでに述べた構成に限らず、以下の態様に変更してもよい。
・図１１に示すように、１枚の大きめのセパレータシート４１を用意し、これに正極シート１３を並べた後、セパレータシート４１を中央で折り返すことにより、正極シート１３を表裏からセパレータシート４１で包み込むようにしてもよい。この場合、１枚のセパレータシート４１を折り曲げるという簡単な形式で、電極収納袋状セパレータ１０を製造することができる。
【００５３】
・溶着部３３は、上辺２９ａ（下辺２９ｂ）の全域に有ることに限定されず、例えば部分的にあってもよい。
・溶着部３３は、例えばセパレータシート２９の紙面の左辺や右辺等にあってもよい。
【００５４】
・図１２に示すように、溶着部３３は、セパレータシート２９の４辺それぞれに沿ってあってもよい。この場合、図１２に示すように、４辺それぞれにおける全域に溶着部３３があってもよいし、４辺のうち一部の辺については部分的に溶着部３３があり、その他の辺については全域に溶着部３３があってもよい。かかる構成によれば、正極シート１３がセパレータシート２９から脱離しにくい。これにより、正極シート１３がセパレータシート２９から脱離して露出してしまうといった不都合を好適に抑制できる。このように、電極収納袋状セパレータ１０の袋状とは、正極シート１３を包むことができればよく、２辺が溶着された筒状のものや４辺が溶着されたものを含む。
【００５５】
・溶着部３３の大きさ（面積）は、適宜変更可能である。
・上側溶着部３３ａと下側溶着部３３ｂとは、異なる長さをとってもよい。
・セラミックスセパレータは、少なくとも対向面２９ｃのみセラミックスコートされたシートでもよい。
【００５６】
・正極シート１３をセパレータシート２９に並べるときの向きは、正極シート１３を例えば図９において紙面左方向に約９０度回転させた向きとしてもよい。
・電極収納袋状セパレータ１０は、１枚の長い帯状のセパレータシート基材３４に複数の正極シート１３をセットして、これを正極シート１３単位で切断して製造することに限定されない。例えば、予め最終的な大きさに切断されたセパレータシート２９を用い、これに正極シート１３をセットして周縁を溶着することで製造されてもよい。
【００５７】
・正極端子７及び負極端子８は、電極対２８の同一辺に配置されることに限定されず、各々異なる辺に配置されてもよい。
・集電部２２，２３の配置位置は、電極対２８の上面に限らず、側面や下面などに変更可能である。
【００５８】
・正極集電部２２は、１つに限定されず、例えば複数でもよく、これらを１つ、或いは複数のリードで電気接続してもよい。なお、これは、負極集電部２３でも同様に言える。
・正極や負極は、シート状の部材に限定されず、例えば所定量厚みのある板状の部材を使用してもよい。
【００５９】
・正極シート１３、負極シート１１及びセパレータシート２９の素材は、適宜変更可能である。
・正極端子７、負極端子８、集電部２２，２３の構造は、実施形態に述べた例に限らず、他の構造に変更可能である。
【００６０】
・ケース本体３の開口部３ａは、ケース本体３の上面に限らず、ケース本体３の側面など、別の箇所に変更可能である。
・電極組立体５は、積層構造に限定されず、シート状の電極対を何層にも巻いて正負の電極層を持つ捲回構造としてもよい。
【００６１】
・蓄電装置は、二次電池に限定されず、例えば電気二重層キャパシタによって充放電する蓄電器としてもよい。
・電極収納袋状セパレータ１０内の電極は、正極に限定されず、負極としてもよい。
【００６２】
・リード溶接（抵抗溶接）は、スポット溶接、バット溶接、プロジェクション溶接などの種々の溶接が使用可能である。また、溶接は、抵抗溶接に限らず、他の方式を採用可能である。
【００６３】
・セパレータ形状は、四角状に限定されず、種々の形状に適宜変更可能である。また、「四角状」には、例えば長方形のセパレータの角を面取りしたもの等も含まれる。
・電極組立体５（二次電池１）は、車両に搭載されることに限定されず、他の機器や装置に搭載可能である。
【００６４】
上記実施形態及び別例から把握できる好適な一例について以下に記載する。
（イ）互いに対向するセパレータを備え、前記セパレータに電極を挟み込む電極収納セパレータにおいて、前記セパレータにおいて前記電極と対向する側の面である対向面は、前記電極の周縁に対応する少なくとも一部に配置され、セラミックスがコートされていない未コート部を備え、前記セパレータの前記未コート部同士が少なくとも一部で溶着されており、前記対向面における前記未コート部以外、及び、前記セパレータにおいて前記対向面とは反対側にある非対向面の全体は、前記セラミックスがコートされたコート部であることを特徴とする電極収納セパレータ。
【００６５】
（ロ）溶着部は、タブ側の一辺及び当該一辺に対向する他辺に配置されているとともに、上記一辺においてはタブの面方向の両側に配置されているとよい。
【符号の説明】
【００６６】
１…蓄電装置としての二次電池、４…電解液、５…電極組立体、１０…電極収納セパレータとしての電極収納袋状セパレータ、１１…電極を構成する負極シート、１３…電極を構成する正極シート、１７…タブとしての未塗工部、２９…セパレータシート（セパレータ）、２９ａ…上辺、２９ｂ…下辺、２９ｃ…対向面、２９ｄ…非対向面、３０…収納部、３１…コート部、３２（３２ａ，３２ｂ）…未コート部、３３（３３ａ，３３ｂ，３３ｃ）…溶着部。
【図１】
2015026522.tif 000003
【図２】
2015026522.tif 000004
【図３】
2015026522.tif 000005
【図４】
2015026522.tif 000006
【図５】
2015026522.tif 000007
【図６】
2015026522.tif 000008
【図７】
2015026522.tif 000009
【図８】
2015026522.tif 000010
【図９】
2015026522.tif 000011
【図１０】
2015026522.tif 000012
【図１１】
2015026522.tif 000013
【図１２】
2015026522.tif 000014